(57)【要約】      （修正有）【課題】大量のメモリカードを機械のテーブルにすばやく位置決めでき、かつそれぞれのメモリカードを設置する方向を効率よく統一できるとともに、メモリカードの数量、概観の瑕疵を容易に確認できるメモリカード用治具を提供する。【解決手段】断面がコの字状を呈し、一側面を開口面とするように形成するとともに、対向する両側面板１５の内壁で、該開口面側の端縁部にスライド溝１２を形成し、長手方向の一端には対向する両側面板の間に少なくとも一以上の当止桿１３を設けてなる本体１０と、該本体のスライド溝に対応するスライドレール２１を形成して、該本体に摺動自在に設けられ、かつ該本体内部の空間を限定してメモリカードを収納する収納室を形成するとともに、該本体側の面の一端には、該収納室に収納するメモリカードの方向を確認する凸状部２３を形成してなるスライドカバー２０と、によって構成する。【選択図】図１
0003104460.tif 000002
【実用新案登録請求の範囲】
【請求項１】
断面がコの字状を呈するように一側面を開口面とし形成するとともに、対向する両側面板の内壁で、該開口面側の端縁の長手方向に沿ってスライド溝を形成し、長手方向の一方端には対向する両側面板の間に少なくとも一以上の当止桿を設けてなる本体と、
該本体のスライド溝に対応するスライドレールを形成して、該本体に摺動自在に設けられ、かつ該本体内部の空間を限定してメモリカードを収納する収納室を形成するとともに、該本体側の面の他方端には、該収納室に収納するメモリカードの方向を確認する凸状部を形成してなるスライドカバーとによって構成することを特徴とするメモリカード用治具。
【請求項２】
前記本体とスライドカバーには、前記収納室に収納するメモリカードを検査するための覗き窓をそれぞれ対応する位置に形成することを特徴とする請求項１に記載のメモリカード用治具。
【請求項３】
前記本体と該スライドカバーには、長手方向の一端に近い部分に、それぞれ位置が対応する溝状の位置確認部を形成することを特徴とする請求項１に記載のメモリカード用治具。
【請求項４】
前記本体の側面で、長手方向の一端には、切り欠き状の対応溝を形成することを特徴とする請求項１に記載のメモリカード用治具。
【考案の詳細な説明】
【技術分野】
【０００１】
この考案は、メモリカードを機械のテーブルに設置する治具の構造に関し、特に大量のメモリカードを設置して、取りつけ作業に供するメモリカード用治具に関する。
【背景技術】
【０００２】
情報産業と関連技術の迅速な発展により、大量のデータを保存する従来の光ディスクは徐々に淘汰されつつある。これに代わるものとして高速でデータを保存することができ、大容量のメモリカードが挙げられる。目下、市場で販売されているメモリカードにはＣＦ、ＭＤ、ＭＭＣ、ＳＤ、ＭＳ、ｘＤ、ＳＭなどを含む。これらメモリカードはテキストファイルを保存できるのみならず、例えばＪＰＧ、ＭＰＥＧ、ＭＰＧ、ＡＳＦなどの映像、音声、ピクチャファイルを保存することができる。目下、メモリカードはコンピュータ、デジタルカメラ、デジタルビデオ、コンパクトディスクプレイヤーなど、幅広く応用されている。メモリカード自体は体積が小さく、携帯に便利であり、かつ保存できる容量もかなり大きい。初期の頃の８ＭＢから徐々に拡張し、１６ＭＢ〜２５６ＭＢ以上に至っている。
【０００３】
従来のメモリカードはデータを読み取る反応領域以外に、メモリカードの一方の角に面取り部に形成する。よって、メモリカードの方向が容易に識別でき、メモリカードを取りつける作業が容易になる。但し、メモリカードは体積が小さいため、製造業者にとっては如何にして大量の在庫品を機械のテーブルに設置するかが極めて重要な問題となる。
【考案の開示】
【考案が解決しようとする課題】
【０００４】
この考案は、大量のメモリカードを作業用機械のテーブルにすばやく位置決めでき、メモリカードの取りつけ作業に供することのできるメモリカード用治具を提供することを課題とする。
【０００５】
また、この考案は、大量のメモリカードを作業用機械のテーブルにすばやく位置決めでき、かつそれぞれのメモリカードを設置する方向を効率良く統一することのできるメモリカード用治具を提供することを課題とする。
【０００６】
また、この考案は、大量のメモリカードを作業用機械のテーブルにすばやく位置決めでき、かつ設置するメモリカードの数の確認と、それぞれのメモリカードに瑕疵があるか否かの確認を容易に行うことのできるメモリカード用治具を提供することを課題とする。
【課題を解決するための手段】
【０００７】
そこで、本考案者は従来の技術に見られる欠点に鑑み鋭意研究を重ねた結果、断面がコの字状を呈し一側面を開口面本体と、該本体に摺動自在に設けるスライドカバーによって構成し、かつ該スライドカバーによって本体内部の空間を限定してメモリカードを収納する収納室を形成するとともに、該スライドカバーの本体側の面の一端には、該収納室に収納するメモリカードの方向を確認する凸状部を形成してなるメモリカード用治具の構造によって課題を解決できる点に着眼し、かかる知見に基づいて本発明を完成させた。
【０００８】
以下、この考案について具体的に説明する。
請求項１に記載するメモリカード用治具は、一側面を開口面とし断面がコの字状を呈するように形成するとともに、対向する両側面板の内壁で、該開口面側の端縁部にスライド溝を形成し、長手方向の一端には対向する両側面板の間に少なくとも一以上の当止桿を設けてなる本体と、
該本体のスライド溝に対応するスライドレールを形成して、該本体に摺動自在に設けられ、かつ該本体内部の空間を限定してメモリカードを収納する収納室を形成するとともに、該本体側の面の一端には、該収納室に収納するメモリカードの方向を確認する凸状部を形成してなるスライドカバーと、によって構成する。
【０００９】
請求項２に記載するメモリカード用治具は、請求項１における本体とスライドカバーには、前記収納室に収納するメモリカードを検査するための覗き窓をそれぞれ対応する位置に形成する。
【００１０】
請求項３に記載するメモリカード用治具は、請求項１における本体と該スライドカバーには、長手方向の一端に近い部分に、それぞれ位置が対応する溝状の位置確認部を形成する。
【００１１】
請求項４に記載するメモリカード用治具は、請求項１における本体の側面で、長手方向の一端に、切り欠き状の対応溝を形成する。
【考案の効果】
【００１２】
本考案のメモリカード用治具は、大量のメモリカードを作業機械のテーブルに設置して加工作業に供することができるとともに、メモリカードの正しい方向を維持することができるため、作業が容易になるとともに、生産性を高め、製造コストを低減させるという利点がある。
【考案を実施するための最良の形態】
【００１３】
この考案は、大量のメモリカードを設置して、取りつけ作業に供するメモリカード用治具を提供するものであって、断面がコの字状を呈し一側面を開口面とする本体と、該本体に摺動自在に設けるスライドカバーによって構成し、かつ該スライドカバーによって本体内部の空間を限定してメモリカードを収納する収納室を形成するとともに、該スライドカバーの本体側の面の一端には、該収納室に収納するメモリカードの方向を確認する凸状部を形成して構成する。
係る構成のメモリカード用治具について、その構造と特徴を詳述するために具体的な実施例を挙げ、以下に説明する。
【実施例】
【００１４】
この考案によるメモリカード用治具は、図１に開示するように、本体（１０）と、該本体（１０）に摺動自在に設けるスライドカバー（２０）を含んでなる。本体（１０）は一側面に開口面（１１）を形成し、断面がコの字状を呈するように形成する。また、対向する両側面板（１５）の内壁で、開口面（１１）側の端縁部にスライド溝（１２）を形成し、さらに本体（１０）の長手方向の一端には、少なくとも一以上の当止桿（１３）を設ける。該当止桿（１３）は締結部材（１４）を利用して両側面板（１５）の間に設ける。また、本体（１０）の開口面（１１）に対向する側の壁面（１６）には、少なくとも一以上の覗き窓（１７）を形成する。
【００１５】
スライドカバー（２０）の長手方向の両側面には本体（１０）のスライド溝（１２）に対応する位置にスライドレール（２１）を形成する。よって、スライドカバー（２０）はスライド溝（１２）とスライドレール（２１）とによって本体（１０）に摺動自在に設けられる。図３に開示するように、スライドカバー（２０）を設けることによって、本体（１０）内部の空間が限定されて収納室（３０）が形成される。また、スライドカバー（２０）には本体（１０）の覗き窓（１７）に対応する覗き窓（２２）を形成する。スライドカバー（２０）の本体（１０）側の面の一端には、凸状部（２３）を形成する。該凸状部（２３）はメモリカード（４０）の面取り部（４１）に対応する。
【００１６】
メモリカード（４０）は本体（１０）の開口面（１１）から収納室（３０）に収納されて、当止桿（１３）に当止し、ついでメモリカードを収納室（３０）に順に収納する。また、スライドカバー（２０）を本体（１０）上で摺動させると、スライドカバー（２０）の本体（１０）側の一端に凸状部（２３）が形成され、かつ該状部（２３）がメモリカード（４０）の面取り部（４１）に対応するため、スライドカバー（２０）を摺動させる過程において収納されるメモリカード（４０）の方向が正確か否かを確認することができる。さらに、覗き窓（１７）（２３）からメモリカード（４０）を検査し、メモリカード（４０）の側辺に瑕疵があるか否かを確認することができる。
【００１７】
また、本体（２０）とスライドカバー（４０）には、長手方向の一端に近い部分に、それぞれ位置が対応する溝状の位置確認部（１８）（２４）を形成する。よってスライドカバー（２０）を本体（１０）に設ける場合、スライドカバー（２０）の方向が容易に確認できる。よって、指し込む方向を間違えることがなく、迅速にスライドカバー（２０）を設けることができる。
【００１８】
また、本体（１０）の側面で、長手方向の一端には切り欠き状の対応溝（１９）を形成する。該対応溝（１９）は、図４に開示するように、メモリカード（４０）を収納した本体（１０）を機械の作業テーブルに設置する場合、本体（１０）の設置方向を確認するためのものである。よって、本体（１０）の正確な方向を容易に確認することができる。本体（１０）を作業機械のテーブル（５０）に設置すると、当止桿（１３）を設けない一端を上にして、収納したメモリカード（４０）が本体（１０）とスライドカバー（２０）とによって限定される収納室（３０）の開口から外部に露出するようにする。よって作業機械のテーブル（５０）において、作業用のアーム（図示しない）メモリカード（４０）を取り出す場合、メモリカードは、正しい方向を保持することができ、加工作業の便宜を図ることができる。
【００１９】
以上をまとめると、この考案によるメモリカード用治具は、本体（１０）とスライドカバー（２０）とによって限定される収納室（３０）にメモリカード（４０）を大量に収納できるのみならず、スライドカバー（２０）に凸状部（２３）を形成することによって、メモリカード（４０）を収納する場合の方向を容易に統一させることができ、さらに本体（１０）に対応溝（１９）を形成することによって、本体（１０）を作業機械のテーブル（５０）に設置する場合、本体（１０）の設置方向を用意に確認することができ、作業用のアーム（図示しない）でメモリカード（４０）を取り出す場合、メモリカード（４０）の確な方向を維持することができ、作業の便宜を図ることができる。
【００２０】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２１】
【図１】この考案によるメモリカード用治具を示した分解図である。
【図２】図１に開示するメモリカード用治具と、これに収納するメモリカードを示した説明図である。
【図３】図１に開示するメモリカード用治具の断面図である。
【図４】図１に開示するメモリカード用治具の使用態様を示した説明図である。
【符号の説明】
【００２２】
１０  本体
１１  開口面
１２  スライド溝
１３  当止桿
１４  締結部材
１５  側面板
１６  壁面
１７  覗き窓
１８  位置確認部
１９  対応溝
２０  スライドカバー
２１  スライドレール
２２  覗き窓
２３  凸状部
２４  位置確認部
３０  収納室
４０  メモリカード
５０  テーブル
【図１】
0003104460.tif 000003
【図２】
0003104460.tif 000004
【図３】
0003104460.tif 000005
【図４】
0003104460.tif 000006